(57)【要約】  少なくとも１つの重要な検体を含む液状分析サンプルの一定量を採取する方法であって、該液状分析サンプルは、ほとんどが表面または表面近傍で処理される望ましくない汚染物質を含み、ａ）少なくとも１つの重要な検体を含む液状分析サンプルを提供する工程、ｂ）再使用可能なピペット採取針を含む第１ピペット採取器を提供する工程、ｃ）該第１ピペット採取器によって、望ましくない汚染物質を含む表面領域から液状サンプルの一部を吸引し、かつその一部を廃棄する工程、ｄ）該第１の再使用可能な針を、洗浄液体で洗浄する工程、ｅ）第２の再使用可能なピペット採取針または使い捨て可能なピペット採取チップを有するピペット採取器を含む第２ピペット採取器を提供する工程、ｆ）該第２ピペット採取器によって一定量の液状分析サンプルを吸引する工程、ｇ）分析用の該一定量の分析サンプルを放出する工程、ｈ）該第２の再使用可能な針を、洗浄液で洗浄し、または該ピペット採取器の使い捨てチップを処分する工程を含むことを特徴とする方法。【特許請求の範囲】
【請求項１】
少なくとも１つの重要な検体を含む液状分析サンプルの一定量を採取する方法であって、前記液状分析サンプルは、ほとんどが表面または表面近傍で処理される望ましくない汚染物質を含み、前記方法は、
ａ）少なくとも１つの重要な検体を含む液状分析サンプルを提供する工程と、
ｂ）再使用可能なピペット採取針を含む第１ピペット採取器を提供する工程と、
ｃ）前記第１ピペット採取器によって、望ましくない汚染物質を含む表面領域から液状サンプルの一部を吸引し、かつその一部を廃棄する工程と、
ｄ）前記第１の再使用可能な針を、洗浄液体で洗浄する工程と、
ｅ）第２の再使用可能なピペット採取針または使い捨て可能なピペット採取チップを有するピペット採取器を含む第２ピペット採取器を提供する工程と、
ｆ）前記第２ピペット採取器によって一定量の液状分析サンプルを吸引する工程と、
ｇ）分析用の前記一定量の分析サンプルを放出する工程と、
ｈ）前記第２の再使用可能な針を洗浄液で洗浄し、または前記ピペット採取器の使い捨てチップを処分する工程とからなることを特徴とする方法。
【請求項２】
前記液状分析サンプルが、液状の単相または単層からなっていることを特徴とする請求項１記載の方法。
【請求項３】
少なくとも１つの検体が、前記液状分析サンプル中に均一に分配されることを特徴とする請求項１または２記載の方法。
【請求項４】
一定量の液状サンプルを吸引する前に、前記再使用可能な針を洗浄する工程が、一定量の洗浄液体を再使用可能な針中に挿入する工程を含むことを特徴とする請求項１記載の方法。
【請求項５】
前記再使用可能な針を洗浄する工程が、前記吸引された量の液状分析サンプルから前記洗浄液体を分離するために、一定量の分離相を再使用可能な針中に挿入する工程をさらに含むことを特徴とする請求項４記載の方法。
【請求項６】
前記分離相が空気栓であることを特徴とする請求項５記載の方法。
【請求項７】
前記再使用可能な針を洗浄する工程が、前記吸引された液状サンプル量を放出した後、液状サンプルによって占められている前記針の一部を経由して、前記挿入された量の洗浄液体を通過させ、かつ排出することにより行われることを特徴とする請求項４〜６のいずれか１項に記載の方法。
【請求項８】
前記再使用可能な針を洗浄する工程が、洗浄液体を用いて前記再使用可能な針を外側から洗浄する工程をさらに含むことを特徴とする請求項３〜７のいずれか１項に記載の方法。
【請求項９】
前記液状サンプルが体液であることを特徴とする請求項１〜８のいずれか１項に記載の方法。
【請求項１０】
前記少なくとも１つの重要な検体が臨床化学検体であることを特徴とする請求項９記載の方法。
【請求項１１】
少なくとも１つの重要な検体を含む液状分析サンプルを採取する分析装置であって、
前記液状分析サンプルは、ほとんどが表面または表面近傍で処理される望ましくない汚染物質を含み、前記分析装置は、
−廃棄される望ましくない汚染物質を含む一定量の液状プローブを、表面領域から吸引するために、再使用可能で洗浄可能なピペット採取針を含む第１ピペット採取器と、
−分析される前記プローブから一定量の分析サンプルを吸引するために、第２の再使用可能で洗浄可能なピペット採取針または使い捨てピペット採取チップを含む第２ピペット採取器とからなることを特徴とする分析装置。
【請求項１２】
前記液状分析サンプルが、液状の単相または単層からなっていることを特徴とする請求項１１記載の分析装置。
【請求項１３】
前記少なくとも１つの検体が、前記液状分析サンプル中に均一に分配されることを特徴とする請求項１１または１２記載の分析装置。
【請求項１４】
一定量の洗浄液体を再使用可能な針中に挿入するため、および／または前記針を外部から洗浄するための洗浄装置をさらに含むことを特徴とする請求項１１〜１３のいずれか１項に記載の分析装置。
【請求項１５】
処理される１つまたは複数の液状分析サンプルを含むチューブ状容器をさらに含むことを特徴とする請求項１１〜１４のいずれか１項に記載の分析装置。
【請求項１６】
試薬容器を受け取るための棚をさらに含むことを特徴とする請求項１１〜１５のいずれか１項に記載の分析装置。
【請求項１７】
液状分析サンプルと分析用試薬とを混合するためのキュベットをさらに含むことを特徴とする請求項１６記載の分析装置。
【発明の詳細な説明】
【技術分野】
【０００１】
本発明は、請求項１に記載の序文に従った、少なくとも１つの重要な検体を含む液状分析サンプルの採取方法に関するものである。特に、本発明は、サンプル上またはサンプル近辺でかなりの程度まで処理される適用妨害化合物を、主としてリチウム・ヘパリンチューブから除去することならびに種々の臨床化学検体の分析に関するものであり、また少なくとも１つの重要な検体を含む液状分析サンプルの採取用分析装置に関するものである。
【背景技術】
【０００２】
リチウム・ヘパリン血漿チューブなどの血漿チューブ中に設けられる血液サンプルのテストは、たとえば、勿論受け入れがたいことであるが、乳酸脱水素酵素の測定において重複したエラーが観察されるという不利な点を抱えている。
【０００３】
該エラーの理由は、細胞の凝集の存在、内部のチューブの壁用の被覆とし使用されるポリプロピレンオキサイドのシリコン系の界面活性剤の存在、患者からの血液採取のために静脈切開装置で使用されるシリコンオイル、血小板の形成、分離ゲルの残存を避けるための添加剤などでありうる。さらに、それらの除去を容易にするために、またたとえば、真空になったチューブの内側の低圧を維持するために、チューブの止め具を、潤滑剤を用いて塗布することもできる。界面活性剤は、多くの免疫学的検定の共通の成分でもある。非特異性吸収を減少させまたは注意を促し、または反応の安定性を向上させるためにまたは、固相の表面を改質し、その疎水性を低減し、またそれにより免疫学的検定領域における界面活性剤の非共有結合された抗体含有の損失を最小にするために、界面活性剤が使用される。Ｎａ、Ｋ、ＬＤＨ（乳酸脱水素酵素）、ＡＬＰ（アルカリホスファターゼ）、Ｃａおよび総タンパク質などの検体は、特に、報告された欠点の影響を受ける。観察される該エラーは、
１．検体（とくに、低量のサンプル、代表的には、２〜５μｌのサンプルによる吸収テストで観察される）の誤った回収に導くことになる吸引された余りにも低量またはあまりにも高い量のサンプル量。
２．種々の装置部品（ピペット採取針、ＩＳＥ混合塔など）における繊維素および／または「シリコンオイル」の堆積。
【０００４】
結果として、サンプルを生理食塩水中に希釈し、その後再びサンプリングすることによる反復エラーを最小限にするための前希釈工程を伴う改良された方法が、非特許文献１中に提示されている。この方法は、一次抽出中で吸引されたマイクロ凝血塊を再吸収する危険を減少させる。しかし、たとえ反復読み取りが期待された限度内であるとしても、マイクロ凝血塊の結果としての実際の一次抽出の場合に不正確さに対する可能性は、除去されない。さらに、必要とされる血漿材料の量は高くなり、一時間当たりのテスト結果で表わされるシステムの処理能力はダウンする。
【０００５】
さらに、血清サンプルが実質的に反復エラーを減少させる可能性があり、反復読み取り間の差は、臨床的には重要ではないと考えられる。
【先行技術文献】
【非特許文献】
【０００６】
【非特許文献１】臨床化学５０巻、１２号、２００４年、２３９１−９２頁
【発明の概要】
【０００７】
本発明の目的は、分析工程のための労力と手間暇を低く妥当なレベルに保持しながら、測定結果を向上させ、かつ、たとえば血漿サンプルなどの液状分析化学サンプルの分析における反復エラーのリスクを減少させることである。
【０００８】
請求項１の表現による方法が提案される。
【０００９】
本発明の解決課題は、少なくとも１つの重要な検体を含む液状分析サンプルの第１有効量の採取に先立って、少なくとも１つの第１部分を事前に採取することにあり、この第１サンプルは、別個に処理されるように液状分析サンプルの真下または離れて、表面領域から事前に採取される。第１部分を事前に採取後、ピペット採取針などの異なった吸引器を用いて有効量の採取が行われる。特に、該発明方法は、
ａ）少なくとも１つの重要な検体を含む液状分析サンプルを提供する工程と、
ｂ）再使用可能なピペット採取針を含む第１ピペット採取器を提供する工程と、
ｃ）該第１ピペット採取器によって、望ましくない汚染物質を含む表面領域から液状サンプルの一部を吸引し、かつその一部を廃棄する工程と、
ｄ）該第１の再使用可能な針を洗浄液体で洗浄する工程と、
ｅ）第２の再使用可能なピペット採取針または使い捨て可能なピペット採取チップを含む第２ピペット採取器を提供する工程と、
ｆ）該第２ピペット採取器によって一定量の液状分析サンプルを吸引する工程と、
ｇ）分析用の該一定量の分析サンプルを放出する工程と、
ｈ）該第２再使用可能な針を、洗浄液で洗浄し、または該ピペット採取器の使い捨てチップを処分する工程とからなる。
【００１０】
すなわち、第１の通常の量の液状分析サンプルをピペット採取する前に、第１の再使用可能なピペット採取針を含む第１ピペット採取器を用いて、液状分析サンプルの真下または離れて、定められた部分がサンプル表面から事前に採取される。この第１部分は事前に放出され、後に分析目的には使用されない。これはいわゆる「ダミーピペット採取」と呼ばれ、たとえば廃液容器中に放出される。勿論、事前に第１量を除去するための針の深さは、分析と干渉する可能性があり、上部領域、すなわち分析されるサンプルの表面近くに典型的に存在する成分または元素の存在に依存している。これらの干渉成分または元素は汚染物質と呼ばれている。これらの汚染物質の例は、細胞の凝集物、シリコンオイル、鉱油、潤滑剤などの液滴または懸濁液、血小板の形成を防止するための添加剤、界面活性剤、フィブリン塊である。
【００１１】
このいわゆる「ダミーピペット採取」後、第２の再使用可能なピペット採取針または使い捨て可能なピペット採取チップを含む第２ピペット採取器を用いることにより、液状分析サンプルの有効量採取が行われる。採取される量は、事前の第１部分採取の間に吸引される量よりも典型的には小さい。分析目的に採取される典型的な量は、１０μｌ未満であり、好ましくは２〜５μｌである。
【００１２】
本発明内においては、分析されるサンプルを汚染物質から分離するための分離試薬をまったく添加しない。本発明による液状分析サンプルは、少なくとも１つの重要な検体を含む分析体液、典型的には血液の液状成分である。液状分析サンプルの例として、赤血球などの血液の非液状または微粒子状成分から分離された血漿が挙げられる。該血液サンプルの非液状または微粒子状成分は、たとえば、沈降後または遠心分離後では、まだサンプルチューブ中で底に存在していてもよい。
【００１３】
本発明によると、重要な検体は臨床化学テストの典型的な検体であり、それらは均一に液状分析サンプル中に分配される。このことは、ピペット採取時および分析されるときに、液状分析サンプルは、典型的には、少なくともほとんどが液状の単相または単層からなっている。重要な検体の例として、Ｎａ、Ｋ、ＬＤＨ、ＡＬＰ、Ｃａ、総タンパク質などが挙げられる。
【００１４】
ピペット採取を比較的不正確に行ってもよく、またサンプル表面からの正確な距離で行わなくてもよい（それは非常に狭い明確な層中であることを意味する）ため、ピペット採取手段を容易に行い、かつ自動化できる。結果として、本発明による分析方法は、容易かつ信頼できる結果を確保するにもかかわらず、自動化が可能である。
【００１５】
該方法をさらに最適化するために、サンプル量を採取する前に、まず一定量の洗浄液、たとえば水を、再使用可能なピペット採取針中に挿入することが提案される。まず一定量の洗浄液を該針中に挿入することにより、サンプル量を放出するときまたは放出した後、以前のサンプルの痕跡を洗い落とし、該針を次回の使用の前に消毒する。勿論このことは、次のたとえば血漿チューブにおいて、事前に第１部分を採取するために同一の第１ピペット採取器を使用するときには、次のサンプルを汚染しないために、非常に重要である。有効量の液状分析サンプルがピペット採取器などの第２装置により採取され、該有効量は事前の第１部分の量より少ない。この有効量は、ここでは、重要な各検体の同定のための分析目的に用いることができる。そのような分析方法は、先行技術でよく知られており、またこの段階で記載されるものではない。好ましくは、再使用可能な針も、洗浄液体を用いて外側から洗浄し、またこのために、洗浄装置を設けることが好ましい。
【００１６】
吸引された部分またはサンプル量から洗浄液体を分離するために、一定量の分離相も、再使用可能な針中に導入することが好ましい。このことが、汚染および／または洗浄液体を用いた液状分析サンプルの希釈を避けるために役立つ。好ましくは、この分離相は空気栓である。
【００１７】
さらに、該方法の具現化は、従属請求項中に定義されるものとする。
【００１８】
さらに、少なくとも１つの重要な検体を含む液状分析サンプルの採取用分析装置は、請求項１１の記載により提案される。この分析装置は、たとえば、リチウム・ヘパリン血漿チューブからサンプル量を採取するための装置であってもよい。
【００１９】
発明で提示された分析装置は、液状分析サンプルの事前の第１部分および液状分析サンプルの第２有効量または少なくとも２つのサンプル採取またはピペット採取器、そのうち１つのピペット採取器は、事前の第１部分を採取するために使用され、かつ次のプロセス工程で分析的に定量される有効分析量を採取するための第２サンプル装置などの少なくとも２つの異なる種類の採取を行うように意図された少なくとも１つのサンプル採取器またはピペット採取器を含んでいる。
【００２０】
さらに、該装置は、ピペット採取針を外側からも洗浄するための洗浄装置を含むことが、提案されている。
【００２１】
特に、本発明によると、少なくとも１つの重要な検体を含む液状分析サンプルの採取用分析装置が提案されており、該液状分析サンプルは、ほとんどが表面または近辺で処理される望ましくない汚染物質を含んでいる。該装置は、再使用可能なピペット採取針を含み、該針は、放出される予定の望ましくない汚染物質を含む液状サンプル量を、表面領域から吸引するために、洗浄可能である第１ピペット採取器を含み、またさらに、第２再使用可能なピペット採取針または使い捨て可能なピペット採取チップを含み、該針は、分析される分析サンプル量を吸引するために、洗浄可能である第２ピペット採取器を含む。
【００２２】
既に上記したように、ピペット採取針を洗浄するために、いずれかのサンプルを採取する前に、一定量の洗浄液体をまず導入することが可能である。このことは、一定量の洗浄液体を、たとえばその再使用可能な針中に挿入するための洗浄装置内で行うことができる。追加または代替として、該洗浄装置内で外側から該針を洗浄することも可能である。
【００２３】
該分析装置は、処理されるべき１つのまたは複数の液状分析サンプルの配置を行うためのチューブ状の容器を含んでいてもよい。さらに、複数のチューブ状の試薬容器を受け取るための棚を配置することが提案されている。
【００２４】
さらに、液状分析サンプルと分析用試薬を混合するために、該分析装置にキュベットを配置することが可能である。
【００２５】
該発明装置のさらに好ましい実施態様は、従属請求項中に開示されている。
【００２６】
該方法および装置の可能な実施例を示している添付の図面を参照して、本発明を説明する。
【図面の簡単な説明】
【００２７】
【図１】本発明によるサンプル採取手段の可能なレイアウトを、概略的にまた段階的に示している。
【図２】本発明によるサンプル採取手段のさらなる可能なレイアウトを、概略的に示している。
【発明を実施するための形態】
【００２８】
まず第１に、ピペット採取針３を含むピペット採取器１は、サンプルチューブ５のカバー６を経由して、液状分析サンプル７中に挿入される。液状分析サンプル７内では、少なくとも１つの重要な検体９が均一に分配される。分析サンプル７の表面８の領域においては、汚染物質１１が存在する。ピペット採取器１の針３内には、洗浄液体１３が配置される。
【００２９】
第１工程Ａ）においては、汚染物質１１を含む第１部分が、針チップ４を経由して、針３中に吸引される。第１部分を挿入しながら、空気栓１５が、洗浄液体１３と第１プレサンプル部分との間に生じる。
【００３０】
続く工程Ｂ）においては、ピペット採取器１は、サンプルチューブ５から除去されまた廃水容器２１に移送され、そこでは汚染物質１１を含む第１部分が洗浄液体１３と共に処理される。すなわち、工程Ｂ）の間の同じ時間において、第１プレサンプル部分は処理され、採取針３は洗浄液体により清浄化される。
【００３１】
続く工程Ｃ）においては、第２ピペット採取器２が、トップカバー６を経由して、サンプルチューブ５内に配置された液状分析サンプル７中に挿入される。ピペット採取器２の採取針２３内では、再び洗浄液体３３が配置される。
【００３２】
次の工程Ｄ）においては、第２サンプル量３７が針チップ２４を経由して採取針２３中に吸引される。
【００３３】
次の工程Ｅ）においては、ピペット採取器２が、分析用キュベット３９に移送され、そこで第２サンプル量３７が分析目的のために処理される。
【００３４】
続く工程Ｆ）においては、ピペット採取器２がさらに廃水容器４１に向けて移送され、そこで採取針２３が洗浄液体３３を処理することにより消毒される。該採取針２３と共にピペット採取器が消毒され、さらなる量採取工程に対して再使用できることになる。
【００３５】
たとえば、Ｌｉ−ヘパリン血漿チューブを用いて分析される液状分析サンプル用サンプルカセットシステムであるホフマン・ラ・ロッシュ社のＣＯＢＡＳ  ＩＮＴＥＧＲＡ  ８００診断装置を用いて、上述の方法を実行できる。勿論、この装置は単なる例であって、また先行記載も、業界で公知の、たとえば日立（診断化学分析器として）またはベクトン−ディッキンソン（血液採取器の製造業者として）製の他の装置に関係してくる。
【００３６】
第１通常サンプル量のピペット採取工程の前に、挿入された血漿サンプルチューブから例として挙げたカセット装置中へ、たとえば１００μｌなどの定められた第１部分を１回のみ先立って採取するものとする。勿論、あらかじめ採取されるサンプル部分は、血漿サンプルチューブ内の全体積に依存している。第１プレサンプル部分の採取後、サンプルチューブからピペット採取器を除去し、またたとえば洗浄装置として洗浄器に配置する。従来通りに、ピペット採取プロセスを実行して、説明したように一定量の洗浄水をピペット採取針中に含ませ、その結果、あらかじめ採取されたサンプルを廃水容器中に処理し、また同じプロセス工程において、ピペット採取針の内部をあらかじめ採取されたサンプル上に配置されている洗浄液体で洗浄する。さらに、該針を洗浄塔内で洗浄し、次の血漿チューブにおけるさらなる事前採取工程に対する用意をする。
【００３７】
第２のピペット採取針を用いて、分析される液状分析サンプルの有効量を、サンプルチューブから採取する。該サンプル量は、典型的には、事前採取されたサンプルの量よりも少ない。血液血漿サンプルなどの生化学分析目的用のサンプル量は、２〜１０μｌの間の範囲であり、典型的には、２〜５μｌである。潜在的汚染物質のほとんどが除去されるという事実により、有効に採取された液状分析サンプル内では分析結果に影響を与える汚染物質がほとんどゼロかまたは無視可能な量で存在することが期待できる。すなわち、いわゆる反復エラーは、上記したように、発明で提案した２工程ピペット採取プロセスを用いることにより、もはや生じないことが期待できる。
【００３８】
分析サンプル量の採取後、それは当業界で公知の分析プロセスを実行するために各分析装置中に挿入されるものとし、この段階では詳細には記載しないものとする。
【００３９】
勿論、チューブの種類、チューブ体積および実行される分析のタイプによっては、あらかじめ事前採取された第１部分の量、針のチップの深さが、第２工程で採取される有効量の体積と同様に変化する。
【００４０】
図２においては、第２ピペット採取器において、使い捨てピペット採取針またはピペット採取チップ４３が配置されているという差異を有する発明プロセスの非常に類似したレイアウトを、概略的にかつ段階的に、再び記載する。すなわち、工程Ａ）および工程Ｂ）は、図１中の各工程と等価である。工程Ｃ）においては、工程Ｄ）で採取される液状サンプル量３７のさらなる採取のために、新しいピペット採取チップ４３を配置しなければならない。
【００４１】
次の工程Ｅ）においては、ピペット採取器２が再び分析用キュベット３９に移送され、そこで第２サンプル量３７が処理される。続く工程Ｆ）においては、針４３が単に廃棄され、またサンプル量のさらなる採取用にはそれ以上使用されないので、針４３の洗浄は不要である。
【００４２】
勿論、ピペット採取器１の場合も同じことが可能であるし、そこでは使い捨てピペット採取針も使用できる。
【００４３】
有効な採取プロセスの後に、たとえば、他のテスト用にさらに有効なサンプルを採取してもよい。さらなる採取を行ってもよい。
【００４４】
各記載のみならず図１および図２は、本発明をさらに説明するための例を示し、また記載しているだけである。本発明は勿論、図面および各記載にまったく限定されるものではなく、また本発明は勿論、図面の記載に対する基準である上述のロッシュ社の装置にまったく限定されるものでもない。記載した２つのサンプル採取装置の替わりに、唯１つのサンプル採取装置を配置することももちろん可能であり、該装置は、分析目的に実際の量の採取のみならず、あらかじめ事前の採取も行うことが出来るように設計されている。さらに、分析目的のために、たとえば血液サンプルを提供するために、異なった種類のチューブまたは容器を使用してもよい。第１サンプル部分採取は、たとえば、程度の差はあるが、表面層から直接に行ってもよく、表面層の真下で行ってもよく、または望ましくない妨害成分および元素が、分析されるサンプル内に存在する領域の範囲によっては、表面層から離れたところで行ってもよい。
【００４５】
さらに、本発明は、図面および実施例に関して記載された分析サンプルに限定されるものではなく、分析目的に採取される液状分析サンプルの如何なるものにも使用できる。
【図１】
2010515911.tif 000002
【図２】
2010515911.tif 000003
【手続補正書】
【提出日】平成20年6月20日(2008.6.20)
【手続補正１】
【補正対象書類名】特許請求の範囲
【補正対象項目名】全文
【補正方法】変更
【補正の内容】
【特許請求の範囲】
【請求項１】
少なくとも１つの重要な検体を含む液状分析サンプルの一定量を採取する方法であって、前記液状分析サンプルは、ほとんどが表面または表面近傍で処理される望ましくない汚染物質を含み、前記方法は、
ａ）少なくとも１つの重要な検体を含む液状分析サンプルを提供する工程と、
ｂ）再使用可能なピペット採取針を含む第１ピペット採取器を提供する工程と、
ｃ）前記第１ピペット採取器によって、望ましくない汚染物質を含む表面領域から液状サンプルの一部を吸引し、かつその一部を廃棄する工程と、
ｄ）前記第１の再使用可能な針を、洗浄液体で洗浄する工程と、
ｅ）第２の再使用可能なピペット採取針または使い捨て可能なピペット採取チップを有するピペット採取器を含む第２ピペット採取器を提供する工程と、
ｆ）前記第２ピペット採取器によって一定量の液状分析サンプルを吸引する工程と、
ｇ）分析用の前記一定量の分析サンプルを放出する工程と、
ｈ）前記第２の再使用可能な針を洗浄液で洗浄し、または前記ピペット採取器の使い捨てチップを処分する工程とからなることを特徴とする方法。
【請求項２】
前記液状分析サンプルが、液状の単相または単層からなっていることを特徴とする請求項１記載の方法。
【請求項３】
一定量の液状サンプルを吸引する前に、前記再使用可能な針を洗浄する工程が、一定量の洗浄液体を再使用可能な針中に挿入する工程を含むことを特徴とする請求項１記載の方法。
【請求項４】
前記再使用可能な針を洗浄する工程が、前記吸引された量の液状分析サンプルから前記洗浄液体を分離するために、一定量の分離相を再使用可能な針中に挿入する工程をさらに含むことを特徴とする請求項３記載の方法。
【請求項５】
前記分離相が空気栓であることを特徴とする請求項４記載の方法。
【請求項６】
前記再使用可能な針を洗浄する工程が、前記吸引された液状サンプル量を放出した後、液状サンプルによって占められている前記針の一部を経由して、前記挿入された量の洗浄液体を通過させ、かつ排出することにより行われることを特徴とする請求項３〜５のいずれか１項に記載の方法。
【請求項７】
前記再使用可能な針を洗浄する工程が、洗浄液体を用いて前記再使用可能な針を外側から洗浄する工程をさらに含むことを特徴とする請求項３〜６のいずれか１項に記載の方法。
【請求項８】
前記液状サンプルが体液であることを特徴とする請求項１〜７のいずれか１項に記載の方法。
【請求項９】
前記少なくとも１つの重要な検体が臨床化学検体であることを特徴とする請求項８記載の方法。
【請求項１０】
少なくとも１つの重要な検体を含む液状分析サンプルを採取する分析装置であって、
前記液状分析サンプルは、ほとんどが表面または表面近傍で処理される望ましくない汚染物質を含み、前記分析装置は、
−廃棄される望ましくない汚染物質を含む一定量の液状プローブを、表面領域から吸引するために、再使用可能で洗浄可能なピペット採取針を含む第１ピペット採取器と、
−分析される前記プローブから一定量の分析サンプルを吸引するために、第２の再使用可能で洗浄可能なピペット採取針または使い捨てピペット採取チップを含む第２ピペット採取器と、
−一定量の洗浄液体を再使用可能な針中に挿入するため、および／または前記針を外部から洗浄するための洗浄装置
からなることを特徴とする分析装置。
【請求項１１】
前記液状分析サンプルが、液状の単相または単層からなっていることを特徴とする請求項１０記載の分析装置。
【請求項１２】
処理される１つまたは複数の液状分析サンプルを含むチューブ状容器をさらに含むことを特徴とする請求項１０記載の分析装置。
【請求項１３】
試薬容器を受け取るための棚をさらに含むことを特徴とする請求項１０記載の分析装置。
【請求項１４】
液状分析サンプルと分析用試薬とを混合するためのキュベットをさらに含むことを特徴とする請求項１３記載の分析装置。
【手続補正書】
【提出日】平成22年2月17日(2010.2.17)
【手続補正１】
【補正対象書類名】特許請求の範囲
【補正対象項目名】全文
【補正方法】変更
【補正の内容】
【特許請求の範囲】
【請求項１】
少なくとも１つの重要な検体を含む液状分析サンプルの一定量を採取する方法であって、前記液状分析サンプルは、ほとんどが表面または表面近傍で処理される望ましくない汚染物質を含み、前記方法は、
ａ）少なくとも１つの重要な検体を含む液状分析サンプルを提供する工程と、
ｂ）再使用可能なピペット採取針を含む第１ピペット採取器を提供する工程と、
ｃ）前記第１ピペット採取器によって、望ましくない汚染物質を含む表面領域から液状サンプルの一部を吸引し、かつその一部を廃棄する工程と、
ｄ）前記第１の再使用可能な針を、洗浄液体で洗浄する工程と、
ｅ）第２の再使用可能なピペット採取針または使い捨て可能なピペット採取チップを有するピペット採取器を含む第２ピペット採取器を提供する工程と、
ｆ）前記第２ピペット採取器によって一定量の液状分析サンプルを吸引する工程と、
ｇ）分析用の前記一定量の分析サンプルを放出する工程と、
ｈ）前記第２の再使用可能な針を洗浄液で洗浄し、または前記ピペット採取器の使い捨てチップを処分する工程とからなることを特徴とする方法。
【請求項２】
前記液状分析サンプルが、液状の単相または単層からなっていることを特徴とする請求項１記載の方法。
【請求項３】
一定量の液状サンプルを吸引する前に、前記再使用可能な針を洗浄する工程が、一定量の洗浄液体を再使用可能な針中に挿入する工程を含むことを特徴とする請求項１記載の方法。
【請求項４】
前記再使用可能な針を洗浄する工程が、前記吸引された量の液状分析サンプルから前記洗浄液体を分離するために、一定量の分離相を再使用可能な針中に挿入する工程をさらに含むことを特徴とする請求項３記載の方法。
【請求項５】
前記再使用可能な針を洗浄する工程が、前記吸引された液状サンプル量を放出した後、液状サンプルによって占められている前記針の一部を経由して、前記挿入された量の洗浄液体を通過させ、かつ排出することにより行われることを特徴とする請求項３または４記載の方法。
【請求項６】
前記再使用可能な針を洗浄する工程が、洗浄液体を用いて前記再使用可能な針を外側から洗浄する工程をさらに含むことを特徴とする請求項３〜５のいずれか１項に記載の方法。
【請求項７】
少なくとも１つの重要な検体を含む液状分析サンプルを採取する分析装置であって、
前記液状分析サンプルは、ほとんどが表面または表面近傍で処理される望ましくない汚染物質を含み、前記分析装置は、
−廃棄される望ましくない汚染物質を含む一定量の液状プローブを、表面領域から吸引するために、再使用可能で洗浄可能なピペット採取針を含む第１ピペット採取器と、
−分析される前記プローブから一定量の分析サンプルを吸引するために、第２の再使用可能で洗浄可能なピペット採取針または使い捨てピペット採取チップを含む第２ピペット採取器と、
−一定量の洗浄液体を再使用可能な針中に挿入するため、および／または前記針を外部から洗浄するための洗浄装置
からなることを特徴とする分析装置。
【請求項８】
前記液状分析サンプルが、液状の単相または単層からなっていることを特徴とする請求項７記載の分析装置。
【国際調査報告】
2010515911.tif 000004
2010515911.tif 000005
2010515911.tif 000006